【手続補正書】
【提出日】平成19年6月20日(2007.6.20)
【手続補正１】
【補正対象書類名】明細書
【補正対象項目名】発明の名称
【補正方法】変更
【補正の内容】
【発明の名称】電子番組表表示装置、及び記録媒体
【手続補正２】
【補正対象書類名】明細書
【補正対象項目名】特許請求の範囲
【補正方法】変更
【補正の内容】
【特許請求の範囲】
【請求項１】  電子番組情報から作成された電子番組表を表示する表示手段と、
前記表示された電子番組表を利用して番組を選択する選択手段と、
前記選択の履歴を項目別に表した番組選択履歴情報を記録する記録手段とを備え、
前記表示手段は、前記番組選択履歴情報を参照し、前記番組選択履歴情報の項目のうち所定の頻度以上で選択されている項目に該当する、番組表の番組欄をその他の番組欄とは区別して表示することを特徴とする電子番組表表示装置。
【請求項２】  前記区別して表示する方法は複数種類あり、そのうちのいずれかに切り替えることが出来、その方法とは、前記番組表の番組欄または番組欄の文字の表示色を変更すること、前記番組表の番組欄の番組名のフォントを変更すること、前記番組表の番組欄または番組欄の文字を点滅させること、前記番組表の番組欄に画像を表示すること、前記番組表の番組欄のうち他と区別する番組の番組欄のみに番組情報を表示することを少なくとも２つ以上含むことを特徴とする請求項１記載の電子番組表表示装置。
【請求項３】  前記番組選択履歴情報を前記選択手段が選択した番組に関する電子番組情報に従って更新する管理手段を備えたことを特徴とする請求項１または２記載の電子番組表表示装置。
【請求項４】  前記記録手段に記録されている前記番組選択履歴情報は、複数個あることを特徴とする請求項３記載の電子番組表表示装置。
【請求項５】  前記複数個の番組選択履歴情報は、時間及び曜日の少なくとも何れか一方毎に分類されていることを特徴とする請求項４記載の電子番組表表示装置。
【請求項６】  前記複数個の番組選択履歴情報は、使用者別に分類されていることを特徴とする請求項４または５に記載の電子番組表表示装置。
【請求項７】  前記管理手段は、所定の条件に従って、前記表示手段が参照すべき番組選択履歴情報を選択することを特徴とする請求項４〜６のいずれかに記載の電子番組表表示装置。
【請求項８】  前記管理手段は、前記所定の条件に従って、前記記録手段に記録されている前記番組選択履歴情報を選択し、その番組選択履歴情報を更新することを特徴とする請求項４〜７のいずれかに記載の電子番組表表示装置。
【請求項９】  前記所定の条件とは、使用者または時刻または曜日であることを特徴とする請求項７または８に記載の電子番組表表示装置。
【請求項１０】  前記選択手段は、リモコンを有し、前記リモコンからの入力に基づいて選択を行うことを特徴とする請求項１〜９のいずれかに記載の電子番組表表示装置。
【請求項１１】  前記記憶手段に記録されている前記番組選択履歴情報を前記番組を送出した装置に送信する伝送手段を備えたことを特徴とする請求項１〜１０のいずれかに記載の電子番組表表示装置。
【請求項１２】  請求項３記載の電子番組表表示装置の前記管理手段としてコンピュータを機能させるためのプログラムを記録した記録媒体であって、コンピュータにより処理可能な記録媒体。
【手続補正３】
【補正対象書類名】明細書
【補正対象項目名】００１３
【補正方法】変更
【補正の内容】
【００１３】
本発明は、電子番組表から視聴したい番組を素早く見つけだすのが困難であると言う課題を考慮し、視聴者が視聴したい番組を素早く見つけだすことが出来る電子番組表表示装置、及び記録媒体を提供することを目的とするものである。
【手続補正４】
【補正対象書類名】明細書
【補正対象項目名】００１４
【補正方法】変更
【補正の内容】
【００１４】
また、本発明は、視聴者が番組を検索して視聴したい番組を確実に見つけることは困難であり、視聴したい番組を見つけるまでには手間がかかるという課題を考慮し、視聴者が視聴したい番組を確実に見つけだすことが出来る電子番組表表示装置、及び記録媒体を提供することを目的とするものである。
【手続補正５】
【補正対象書類名】明細書
【補正対象項目名】００１５
【補正方法】変更
【補正の内容】
【００１５】
また、本発明は、複数の視聴者のそれぞれに好みの番組を知らせることは困難であるという課題を考慮し、複数の視聴者のそれぞれに好みの番組を知らせることが出来る電子番組表表示装置、及び記録媒体を提供することを目的とするものである。
【手続補正６】
【補正対象書類名】明細書
【補正対象項目名】００１６
【補正方法】変更
【補正の内容】
【００１６】
また、本発明は、視聴する日付、曜日、時間帯に応じて好みの番組を視聴者に知らせることは困難であるという課題を考慮し、視聴する日付、曜日、時間帯に応じて、視聴者に好みの番組を知らせることが出来る電子番組表表示装置、及び記録媒体を提供することを目的とする。
【手続補正７】
【補正対象書類名】明細書
【補正対象項目名】００１７
【補正方法】変更
【補正の内容】
【００１７】
また、本発明は、放送事業者が視聴者の番組に対する嗜好や流行を簡単に知ることが出来ないという課題を考慮し、放送事業者が視聴者の番組に対する嗜好や流行を簡単に知ることが出来る電子番組表表示装置、及び記録媒体を提供することを目的とするものである。
【手続補正８】
【補正対象書類名】明細書
【補正対象項目名】００２９
【補正方法】変更
【補正の内容】
【００２９】
また、第１２の本発明（請求項１２に対応）は、第３の本発明の電子番組表表示装置の前記管理手段としてコンピュータを機能させるためのプログラムを記録した記録媒体であって、コンピュータにより処理可能な記録媒体である。
【手続補正９】
【補正対象書類名】明細書
【補正対象項目名】００３０
【補正方法】削除
【補正の内容】
【手続補正１０】
【補正対象書類名】明細書
【補正対象項目名】０１０８
【補正方法】変更
【補正の内容】
【０１０８】
さらに、本発明の電子番組表表示装置の全部または一部の手段の全部または一部の機能をコンピュータにより実行させるためのプログラム及び／またはデータを担持した媒体であって、コンピュータにより処理可能なことを特徴とする媒体は本発明に関連する発明に属する。
【手続補正１１】
【補正対象書類名】明細書
【補正対象項目名】０１０９
【補正方法】削除
【補正の内容】
【手続補正１２】
【補正対象書類名】明細書
【補正対象項目名】０１１０
【補正方法】変更
【補正の内容】
【０１１０】
さらに、データとは、データ構造、データフォーマット、データの種類などを含む。また、媒体とは、ＲＯＭ等の記録媒体、インターネット等の伝送媒体、光・電波・音波等の伝送媒体を含む。また、担持した媒体とは、例えば、プログラム及び／又はデータを記録した記録媒体、やプログラム及び／又はデータを伝送する伝送媒体等をふくむ。また、コンピュータにより処理可能とは、例えば、ＲＯＭなどの記録媒体の場合であれば、コンピュータにより読みとり可能であることであり、伝送媒体の場合であれば、伝送対象となるプログラム及び／又はデータが伝送の結果として、コンピュータにより取り扱えることであることを含む。
【手続補正１３】
【補正対象書類名】明細書
【補正対象項目名】０１１２
【補正方法】削除
【補正の内容】
【手続補正１４】
【補正対象書類名】明細書
【補正対象項目名】０１１３
【補正方法】変更
【補正の内容】
【０１１３】
【発明の効果】
以上説明したところから明らかなように、本発明は、視聴者が視聴したい番組を素早く見つけだすことが出来る電子番組表表示装置、及び記録媒体を提供することが出来る。
【手続補正１５】
【補正対象書類名】明細書
【補正対象項目名】０１１４
【補正方法】変更
【補正の内容】
【０１１４】
また、本発明は、視聴者が視聴したい番組を確実に見つけだすことが出来る電子番組表表示装置、及び記録媒体を提供することが出来る。
【手続補正１６】
【補正対象書類名】明細書
【補正対象項目名】０１１５
【補正方法】変更
【補正の内容】
【０１１５】
また、本発明は、複数の視聴者のそれぞれに好みの番組を知らせることが出来る電子番組表表示装置、及び記録媒体を提供することが出来る。
【手続補正１７】
【補正対象書類名】明細書
【補正対象項目名】０１１６
【補正方法】変更
【補正の内容】
【０１１６】
また、本発明は、視聴する日付、曜日、時間帯に応じて、視聴者に好みの番組を知らせることが出来る電子番組表表示装置、及び記録媒体を提供することが出来る。
【手続補正１８】
【補正対象書類名】明細書
【補正対象項目名】０１１７
【補正方法】変更
【補正の内容】
【０１１７】
また、本発明は、放送事業者が視聴者の番組に対する嗜好や流行を簡単に知ることが出来る電子番組表表示装置、及び記録媒体を提供することが出来る。
【手続補正１９】
【補正対象書類名】明細書
【補正対象項目名】符号の説明
【補正方法】追加
【補正の内容】
【符号の説明】
１０１  受信手段
１０２  記憶手段
１０３  電子番組表生成手段
１０４  表示制御手段
１０５  表示手段
１０６  入力選択手段
１０７  システム制御手段
１０８  日付時刻管理手段
１０９  送信手段